Podtech/llm-jp-corpus-v4-ja_patent huggingface dataset:
(57)【要約】      （修正有）【課題】六角ナットを装着するための、角穴を有する六角ナットを装着できる端子を提供する。【解決手段】端子１の二つの足巾が、六角ナット４の二面巾５よりやや広く、この足の底部の側面に六角ナット４の対角の頂点６が挿入される角穴２を設けたことを特徴とする六角ナットを装着できる端子１である。【選択図】図３
2014081063.tif 000002
【特許請求の範囲】
【請求項１】
端子の二つの足巾が、六角ナットの二面巾よりやや広く、この足の底部の側面に六角ナットの対角の二つの頂点が挿入されるための角穴を設けたことを特徴とする六角ナットを装着できる端子。
【発明の詳細な説明】
【技術分野】
【０００１】  本発明は、六角ナットを簡単に装着するための角穴を有する六角ナットを装着できる端子に関するものである。
【背景技術】
【０００２】  従来、バーリング加工法により雌ネジ機能を有した端子があった。
【特許文献１】
【発明の開示】
【発明が解決しようとする課題】
【０００３】  しかしながら、次のような問題点があった。
（イ）バーリング雌ネジは、強度が低く必要締付けトルクに耐えられない事があった。
（ロ）そのため、端子雄ネジを強く締付けると保持力が弱まり通電不具合を生じた。
【課題を解決するための手段】
【０００４】  前述の問題を解決するため、本発明はバーリング加工雌ネジの代わりに、強度のある六角ナットを簡単に装着することができる端子に関し発明したものである。
この端子の二つの足巾が、六角ナットの二面巾よりやや広く、この足の底部の側面に、六角ナットの対角の二つの頂点を挿入するための角穴を設けたことを特徴とする六角ナットを装着できる端子である。
【発明の効果】
【０００５】  この端子には六角ナットを簡単に装着でき、またそれを使用すると、バーリング雌ネジ以上にネジ強度が確保され品質要求が満たされる。
【発明を実施するための形態】
【０００６】  以下、本発明の実施形態について説明する。
（イ）二つの端子の足（１）の底部側面に角穴（２）と底部に雄ネジの穴（３）を設ける。
（ロ）二つの端子の足（１）巾は、六角ナットの対辺（５）よりやや広めである。
以上の形状を有する端子に六角ナットを装着するときは、
（ハ）端子の両足の間に六角ナット（４）を雄ネジの穴（３）の上に置く。
（二）端子を固定し、六角ナット（４）の二面巾（５）を工具で掴み回転させる。
（ホ）回転により六角ナット（４）の対角の頂点（６）は端子の足（１）の内壁を押しな  がら回り、角穴（２）に入り込み装着完了となる。
（ヘ）端子の角穴（２）を有する足（１）も、スプリングバックにより元に戻り六角ナッ  ト（４）の対角の頂点（６）も角穴（２）で固定され、空回り及び脱落防止がなされる  。
以上により雌ネジ強度が確保され強い締結が可能となる。
【図面の簡単な説明】
【０００７】
【図１】  本発明の斜視図
【図２】  端子の雄ネジ穴の上に六角ナットを置いた一部を欠いた平面図
【図３】  六角ナットの装着完了の一部を欠いた平面図
【符号の説明】
【０００８】  １  端子の足      ２  角穴      ３  雄ネジの穴      ４  六角ナット
５  六角ナットの二面巾      ６六角ナットの対角の頂点
【図１】
2014081063.tif 000003
【図２】
2014081063.tif 000004
【図３】
2014081063.tif 000005
(57)【要約】      （修正有）【課題】カラオケ歌唱時に、五線上に音譜文字を表記したものを歌詞表示とあわせて表示する。【解決手段】音譜の長短を□の長短で表し、高低は□を五線上に配置し、□の中に歌詞をひらがな又はカタカナ又はローマ字で一音一音書き込みカラオケを歌いやすくする。【選択図】図２
2014081601.tif 000002
【特許請求の範囲】
【請求項１】
音譜の長短を□の長短で表し、高低は□を五線上に配置し、□の中に歌詞をひらがな又はカタカナ又はローマ字で一音一音書き込みカラオケを歌いやすくする。時には数音書き込む事もある。又、カラオケをテレビ画面を見ながら歌うときは，この楽譜と従来の歌詞を同時にテレビ画面に映して流すこと。
【発明の詳細な説明】
【技術分野】
【０００１】  この発明は、これまでの歌の本では音譜と歌詞が別に表記してあり音楽を専門に勉強しない人にはうまく歌えない。これを解消して普通の人でも簡単に歌えるようにするものである。
【背景技術】
【０００２】  従来、音譜の長短、高低は歌詞と別表記で歌詞を見ながら音譜を見て又は音譜を見ながら歌詞を見て歌っていた。訓練とか慣れが必要であった。
【発明の概要】
【０００３】  これは、次のような欠点があった。従来、カラオケを歌う時、歌手の歌を聴きながらまた同時に楽譜を見て覚えていたが、どうしても音符の高低、長短、伸ばす所、休符が分かりにくかったが、この五線上に表記された音譜文字を見ながら歌えば簡単に覚えられ歌う事が出来る。本発明は以上のような欠点をなくすためになされたものである。
【課題を解決するための手段】
【０００４】  音譜の長短は□の長短で表し、音譜の高低は五線上の高低で表す。休止音譜も伸ばすところも□の長短で表記する。
本発明は以上の構成よりなる楽譜である。
【発明の効果】
【０００５】  これまで音感の良くない者は歌手の歌うのを聞きながら、また、同時に楽譜を見ながら覚えていた。しかし、いざ歌うと歌えない。違いを探すのに何度もくり返して歌手の歌を聞きながら、同時に楽譜を見ながら覚えていた。これを解消するものである。
【発明を実施するための形態】
これまでの楽譜を五線上に音譜文字で表記する形態について別紙図面にて説明する。
【図１】
2014081601.tif 000003
【図２】
2014081601.tif 000004
【手続補正書】
【提出日】平成24年12月12日(2012.12.12)
【手続補正１】
【補正対象書類名】特許請求の範囲
【補正対象項目名】全文
【補正方法】変更
【補正の内容】
【特許請求の範囲】
【請求項１】
音の長短を□の長短で表し、高低は□を五線上に配置する事で表し、□の中には歌詞をひらがな、カタカナ、アルファベット、長音符号、休止符のいずれか一種以上を書き込み、カラオケを歌いやすくすることを特徴とした歌詞付き楽譜。
【請求項２】
請求項１記載の歌詞付き楽譜を、テレビ、カラオケ、ゲーム等の表示媒体に表示する事。
【手続補正３】
【補正対象書類名】図面
【補正対象項目名】全図
【補正方法】変更
【補正の内容】
【図１】
2014081601.tif 000005
【図２】
2014081601.tif 000006
【手続補正書】
【提出日】平成24年12月12日(2012.12.12)
【手続補正１】
【補正対象書類名】明細書
【補正対象項目名】全文
【補正方法】変更
【補正の内容】
【発明の詳細な説明】
【技術分野】本発明は歌詞とメロディーを表示する歌詞付き楽譜に関する。【０００１】この発明は、これまでの歌の本では音譜と歌詞が別に表記してあり、音楽を専門に勉強しない人にはうまく歌えない。これを解消して普通の人でも簡単に歌えるようにするものである。
【背景技術】
【０００２】従来、音符の、長短は歌詞と別表記であり、歌詞を見ながら音符を見て、又は音符を見ながら歌詞を見て歌っていた。訓練とか慣れが必要であった。
【発明の概要】
【０００３】これには、次のような欠点があった。
従来、カラオケを歌う時、歌手の歌を聴きながら、また同時に楽譜を見て覚えていたが、どうしても音符の高低、長短、伸ばす所、休符が分かりにくかった。
音感の良くない者は、歌手が歌うのを聴きながら、また、同時に楽譜を見ながら覚えてきたが、いざ歌うとなると歌えない。違いを探すのに何度も繰り返して歌手の歌を聴きながら、同時に楽譜を見ながら覚えていた。
【課題を解決するための手段】
【０００４】本発明の歌詞付き楽譜は、音符の代わりに、歌詞入りの□を五線上に表記しており、この事により、簡単に上手に歌う事が出来る。
本発明はこのような歌詞付き楽譜に関する。
【発明を実施するための形態】
【０００５】従来の歌詞付き楽譜は、例えば図１の様に、音符と歌詞が別表記であり、音の高低・長短・歌詞を一度に把握することが難しかった。
【０００６】本発明の歌詞付き楽譜は、例えば図２の様に、五線上において、音符の代わりに□を使用する事を特徴とする。□自体の位置の上下により音の高低を示し、□の幅の長短により音の長短を示しており、更に歌詞が□の中に表記されている事を特徴とする。また、□と□は音符同様にスラーでつないでも良い。
これにより、歌詞の音程の上下と音の長さの長短を、一度に、直感的に把握する事が出来るようになるものである。
【０００７】本発明の歌詞付き楽譜においては、［０００６］記載の五線上の歌詞入り□による表記と合せて、従来の五線下に記載されている歌詞を併用してもよい。
【０００８】この歌詞付き楽譜の使用は、紙媒体に限らず、テレビ、カラオケ、ゲーム等のあらゆる表示媒体を通して使用する事ができる。
本発明の歌詞付き楽譜の表示媒体への表示自体も本発明に含まれるものである。
【発明の効果】
【０００９】本発明により、音楽に精通していていない者でも歌詞の高低、長短が一目で直感的に分かり、歌いやすくなる。カラオケやカラオケゲーム等で高得点を望む者としては、これまで限界と思っていたものが、高得点の出ない理由を認識し、修正する事が出来、再度、高得点をねらって歌う楽しみを味わえる。
【図面の簡単な説明】
【００１０】
【図１】従来の歌詞付き楽譜の例
【図２】本発明の歌詞付き楽譜の例  １）  □は音の高さに合せて、５線上に配置する。２）  音の長短に合せて□の幅を設定する。３）  □の中には、ひらがな、カタカナ、アルファベット、長音符号、休止符のいずれか一種以上を書き込むことが出来る。４）  □のなかに１文字以上記載しても良い。５）  □と□はスラーでつないでも良い。
(57)【要約】【課題】  両面発光の踏切用表示灯のコストダウンを図る。【解決手段】  発光ダイオード７の点灯もしくは点滅によって表示灯を発光する踏切用表示灯であって、１枚の発光ダイオード基板４の表面と裏面とに発光領域８を定め、該発光領域８に多数の発光ダイオード７を取り付けている。【選択図】図１
2014094608.tif 000002
【特許請求の範囲】
【請求項１】
発光ダイオードの点灯もしくは点滅によって表示灯を発光する踏切用表示灯であって、
１枚の発光ダイオード基板の表面と裏面とに発光領域を定め、該発光領域に多数の発光ダイオードを取り付け、１枚の発光ダイオード基板で表面側と裏面側の両方に表示灯を発光することを特徴とする踏切用表示灯。
【請求項２】
前記発光ダイオード基板を、カバーの内側空間の平面形状に一致する形状とし、該発光ダイオード基板によって、前記カバーの内側空間を表側空間と裏側空間とに区分し、該発光ダイオード基板に背面の光を遮断する機能を持たせたことを特徴とする請求項１に記載の踏切用表示灯。
【請求項３】
前記カバーの表側空間と裏側空間の境界位置に基板取付ガイドが形成され、該基板取付ガイドに前記発光ダイオ−ド基板の縁が挿入されることを特徴とする請求項２に記載の踏切用表示灯。
【発明の詳細な説明】
【技術分野】
【０００１】
本発明は、発光ダイオードの点灯もしくは点滅によって表示灯を発光する踏切用表示灯に関するものである。
【背景技術】
【０００２】
従来は、踏切の対岸に表示灯を発光する場合、踏切用表示灯を表向きと裏向きに２台設置したり、全方向に発光を行う踏切用表示灯（踏切警報灯）（特許文献１）を設置したりしていた。
【先行技術文献】
【特許文献】
【０００３】
【特許文献１】特許第４３１３７００号公報
【発明の概要】
【発明が解決しようとする課題】
【０００４】
しかしながら、従来のものはいずれも総合的にコスト高であった。
【０００５】
（発明の目的）
本発明の目的は、コストダウンを図ることができる両面発光の踏切用表示灯を提供することである。
【課題を解決するための手段】
【０００６】
上記目的を達成するために、本発明の踏切用表示灯は、発光ダイオードの点灯もしくは点滅によって表示灯を発光する踏切用表示灯であって、１枚の発光ダイオード基板の表面と裏面とに発光領域を定め、該発光領域に多数の発光ダイオードを取り付け、１枚の発光ダイオード基板で表面側と裏面側の両方に表示灯を発光することを特徴とするものである。
【発明の効果】
【０００７】
本発明によれば、両面発光の踏切用表示灯のコストダウンを図ることができる。
【図面の簡単な説明】
【０００８】
【図１】本発明の実施例１である踏切警報灯を示す図である。
【図２】実施例１の配線図である。
【図３】実施例１の組立手順その１を示す図である。
【図４】実施例１の組立手順その２を示す図である。
【図５】本発明の実施例２である列車進行方向指示器を示す図である。
【発明を実施するための形態】
【０００９】
本発明を実施するための形態は、後述する実施例１及び２に記載の通りである。
【実施例１】
【００１０】
図１は本発明の踏切用表示灯に係る実施例１の踏切警報灯を示す正面図及び側面図である。なお、本発明の踏切用表示灯は、踏切警報灯と列車進行方向表示器を含むものである。
【００１１】
図１において、灯体１は、金属製などのひさし２、ひさし２に固定された透明樹脂製のカバー３、カバー３内に垂直に配置された１枚の発光ダイオード基板４、ひさし２にねじ５により固定された回転接手６から主として構成されている。
【００１２】
発光ダイオード基板４の表面及び裏面には、多数の赤色の発光ダイオード７が円形に定められた発光領域８の中に取り付けられている。表面と裏面の発光ダイオード７の取り付け位置は図１では同じであるが、異なる取付位置であってもよい。発光領域８の形状は必ずしも円形でなくてもよく、楕円形でも多角形でもよい。発光ダイオード基板４はひさし２に着脱可能に固定されるが、詳細は後述する。発光ダイオード基板４の形状は、カバー３の内側空間の平面形状に一致する形状をしている。これにより、１枚の発光ダイオード基板４によって、前記カバー３の内側空間を表側空間と裏側空間とに区分している。発光ダイオード基板４が背面の光を遮断し、発光ダイオード基板４に背面の光を遮断する機能を持たせている。
【００１３】
回転接手６及びひさし２の内部には、外部の電線が接続される外線端子９が設けられている。
【００１４】
表面の多数の発光ダイオード７は直並列に接続され、表面側発光ダイオード群１０（図２）を構成し、図２に示されるように直流２４Ｖの電源に接続される。同じく、裏面の多数の発光ダイオード７も直並列に接続され、裏面側発光ダイオード群１１（図２）を構成し、表面側発光ダイオード群１０と並列に直流２４Ｖの電源に接続される。
【００１５】
本実施例１の踏切警報灯の組立手順を図３及び図４を参照しながら説明する。
【００１６】
まず、発光ダイオード基板４の表面及び裏面に発光ダイオード７を実装する。ひさし２に設けられた基板取付部１２に発光ダイオード基板４をビス１３により固定する。この状態が図３に示される状態である。
【００１７】
図４に示されるように、カバー３の表側空間と裏側空間の境界位置には基板取付ガイド１４が一体に形成されている。基板取付ガイド１４は、並行する２枚の板状のものが垂直下方に延びる形状に形成されている。この基板取付ガイド１４に発光ダイオード基板４の縁を挿入し、図４の矢印の方向に下降させて、ひさし２にカバー３の上縁部３ａをビス１５により固定する。これにより、発光ダイオード基板４は、ひさし２とカバー３にしっかりと保持される。以上のように組立は簡単になる。
【実施例２】
【００１８】
図５は、本発明の踏切用表示灯に係る実施例２の列車進行方向指示器を示す。発光ダイオード基板４の表面及び裏面に実装される発光ダイオード７は、異なる矢印方向の発光領域１６ａ，１６ｂに取り付けられている。他の構成は実施例１に示される踏切警報灯と同じである。
【００１９】
本実施例１及び２では、１枚の発光ダイオード基板で表面側と裏面側の両方に表示灯を発光することができるので、コストダウンと踏切設備の簡略化を図ることができる。
また、従来の踏切用表示灯では、発光基板の外側に背板を設け、背面の光を遮断しているが、本実施例１及び２では、発光ダイオード基板に背面の光を遮断する背板としての機能を持たせているので、よりコストダウンを図ることができる。
【符号の説明】
【００２０】
１          灯体
２          ひさし
３          カバー
４          発光ダイオード基板
７          発光ダイオード
８          発光領域
１４        基板取付ガイド
【図１】
2014094608.tif 000003
【図２】
2014094608.tif 000004
【図３】
2014094608.tif 000005
【図４】
2014094608.tif 000006
【図５】
2014094608.tif 000007
(57)【要約】【課題】  書類を見ながらのキーボード作業は多いと思うが、ペンでしるしを付けたり付箋でしるしを付けたりしていたが、大切な書類はペンで書けず、付箋もピンポイントでは場所が分からなくなってしまい困っていた。  本発明は、パソコン打ちの作業開始場所を、ピンポイントでわかる道具を提供する。【解決手段】Ｌ字型の基台に出っ張り角下方頂点にポイント矢印が書いてあり次にパソコンを打つ場所に矢印を合わせておけば、今まで作業した場所を探すこともなく、スムーズに仕事ができ、設置造形部には持ちやすさと同時に気持ちの癒される造形物を設置することにより視感でも楽しめることを特徴とするポイント停留所。【選択図】図３
2014094552.tif 000002
【特許請求の範囲】
【請求項１】
プラスチック等の樹脂素材やアルミニューム等の金属を用い、タテ×ヨコほぼ２〜３ｃｍほど、厚み数ミリほどの幅広Ｌ型状のＬ型基台部を形成し、Ｌ型基台部のＬ状縁を上下になるように立てた状態において、下即ちＬ状縁底面に再剥離のり、又は滑り止めシートを設け、Ｌ状縁上面に、握りやすく・且つ楽しくなるような形状でいろいろな造形を載せ置くように一体的に形成された設置造形部を設け、Ｌ型外壁面に出っ張り角下方頂点に向かう弧を描いたポイント矢印を設けたポイント停留所。
【発明の詳細な説明】
【技術分野】
【０００１】  本発明は、書類を見ながらのパソコンうちの際、打った途中の場所を示すものである。【０００２】  従来、書類を見ながらキーボードをたたいていて、用事等で目を離すとどこまで打ったか解らなくなってしまい、探すのが大変だった。
【発明の概要】
【発明が解決しようとする課題】
【０００４】  書類を見ながらのキーボード作業は多いと思うが、ペンでしるしを付けたり付箋でしるしを付けたりしていたが、大切な書類はペンで書けず、付箋もピンポイントでは場所が分からなくなってしまい困っていた。
本発明は、以上の問題点を解決するためになされたものである。
【課題を解決するための手段】
【０００５】  プラスチック等の樹脂素材やアルミニュム等の金属を用い、タテ×ヨコほぼ２〜３ｃｍほど、厚み数ｍｍほどの幅広Ｌ型状のＬ型基台部を形成する。Ｌ型基台部のＬ状縁を上下になるように立てた状態において、下即ちＬ状縁底面に再剥離のり、又は滑り止めシートを設ける。Ｌ状縁上面に、握りやすく・且つ楽しくなるような形状でいろいろな造形を乗せ置くように一体的に形成された載置造成部を設ける。Ｌ型外壁面に、出っ張り角下方頂点に向かう弧を描いたポイント矢印を設ける。
【発明の効果】
【０００６】  従来はどこまで打ったか探すのが大変だったが本発明を使用することにより、効率よく作業が進み時間の短縮にもなる。又空調等の風からも守る文鎮の役目もなす。
【図面の簡単な説明】
【０００７】
【図１】本発明の一部であるＬ型基台部の斜視図
【図２】本発明の一部であるＬ型基台部の底面の実施例を示す斜視図
【図３】本発明の斜視図
【図４】本発明の一部である載置造形部の他の実施例を示す斜視図
【図５】本発明の一部である載置造形部の他の実施例を示す斜視図
【発明を実施するための形態】
【０００８】  以下、本発明の実施の形態を説明する。
（イ）厚み５ｍｍ程のプラスチック等の樹脂素材やアルミニュウム等の金属の一辺を２〜３ｃｍにＬ字型にしＬ型基台部（１）にする。
（ロ）Ｌ型基台部の底面、Ｌ状縁底面（３）に再剥離のり（４）を附ける。
（ハ）Ｌ型基台部の上部、Ｌ型縁上面（２）には、載置造形部（５）にかわいらしく動物、音符、スカイツリー等を着ける。
（ニ）Ｌ型外壁面（６）には、出っ張り角下方頂点（７）に向かう弧を描いたポイント矢印（８）を入れる。
本発明は以上のような構造である。
本発明を使用するときは、書類や本の作業進行の中断地点に、上部の載置造形部を手に持って、その地点のピンポイントの文字の所にポイント矢印（８）が来るように置く。
【符号の説明】
【０００９】  １  Ｌ型基台部  ２  Ｌ型縁上面  ３  Ｌ型縁底面  ４  再剥離のり
５  載置造形部  ６  Ｌ型外壁面  ７  出っ張り角下方頂点
８  ポイント矢印
【図１】
2014094552.tif 000003
【図２】
2014094552.tif 000004
【図３】
2014094552.tif 000005
【図４】
2014094552.tif 000006
【図５】
2014094552.tif 000007
(57)【要約】【課題】ジェルネイルを簡易な方法で除去可能である。【解決手段】アセトン、メチルエチルケトンなどのケトン類、エタノール、２−プロパノールなどのアルコール類、ジエチルエーテルなどのエーテル類などの有機溶剤を、カラギーナン、カルボキシビニルポリマー、架橋ポリアクリル酸、ヒドロキシエチルセルロース、ヒドロキシプロピルセルロース、カルボキシメチルセルロース、アクリル酸ソーダ等のゲル化剤でゲル化させたものを、ジェルネイル軟化材として用いる。【選択図】なし【特許請求の範囲】
【請求項１】
有機溶剤、ゲル化剤、油剤及び粘土を含有し、前記ゲル化剤によりゲル化されていることを特徴とするジェルネイル軟化材。
【請求項２】
前記油剤としてワセリンを含有していることを特徴とする請求項１に記載のジェルネイル軟化材。
【請求項３】
前記粘土が粉状であることを特徴とする請求項１又は２に記載のジェルネイル軟化材。
【請求項４】
前記有機溶剤がアセトンであり、前記ゲル化剤がヒドロキシプロピルセルロースであることを特徴とする請求項１〜３のいずれか１項に記載のジェルネイル軟化材。
【発明の詳細な説明】
【技術分野】
【０００１】
本発明は、有機溶剤を含有したジェルネイル除去材に関する。
【背景技術】
【０００２】
ジェルネイルの除去には、例えば、（１）アセトンを染み込ませたコットンをジェルネイル上に置き、（２）コットンの上からアルミホイルで指を包み、しばらく置いた後、（３）アルミホイル及びコットンを除去して、軟化したジェルネイルをへら等で爪からこそぎ落とすといった工程を経ていた（特許文献１の段落０００４）。このように、ジェルネイルには除去が困難である等の問題があるため、特許文献１では、ジェルネイル自体を除去しやすいものとすることが提案されている。
【先行技術文献】
【特許文献】
【０００３】
【特許文献１】特開２０１１−２２９７２５号公報
【発明の概要】
【発明が解決しようとする課題】
【０００４】
特許文献１のようにジェルネイル自体を除去しやすいものとすることも考えられるが、この場合、ジェルネイルを形成する工数や、ジェルネイルを構成する材料の種類が増加したりする。これらが増加すると、ジェルネイルの汎用性が低下するおそれがある。また、除去しやすくするにも限界があるし、従来のジェルネイルの除去に関するニーズに対応できない。
【０００５】
本発明の目的は、ジェルネイル自体を工夫しなくてもジェルネイルを簡易な方法で除去可能なジェルネイル軟化材を提供することにある。
【課題を解決するための手段】
【０００６】
本発明のジェルネイル軟化材は、有機溶剤、ゲル化剤、油剤及び粘土を含有し、前記ゲル化剤によりゲル化されている。
【発明の効果】
【０００７】
本発明のジェルネイル軟化材によると、ゲル化剤により有機溶剤がゲル化されているため、ジェルネイル軟化材をジェルネイル上に置かれた状態に保ちやすい。したがって、コットン等を使用せずに済むため、ジェルネイルを簡易な方法で除去できる。また、油剤により、ジェルネイルを除去した後の爪の状態が保全されやすい。さらに、粘土により、爪上に置かれたジェルネイル軟化材が服などに接触しても付着しにくくなる。
【発明を実施するための形態】
【０００８】
以下、本発明に係る一実施の形態について説明する。本実施形態に係るジェルネイル軟化材は、爪上に形成されたジェルネイルを軟化させ、除去しやすくするために用いられる。ジェルネイルとは、爪表面の装飾体の一種である。ジェルネイルは、ウレタン系樹脂と光重合性モノマーを含むジェル状のネイル組成物を爪の表面に塗布した後、紫外線を照射して硬化させることにより形成される。
【０００９】
本実施形態のジェルネイル軟化材は、少なくとも、有機溶剤、ゲル化材、油剤及び粘土を含有している。これらの含有物については、以下の候補が考えられる。［有機溶剤］アセトン、メチルエチルケトンなどのケトン類、エタノール、２−プロパノールなどのアルコール類、ジエチルエーテルなどのエーテル類など。好ましくは、アセトン。［ゲル化剤］カラギーナン、カルボキシビニルポリマー、架橋ポリアクリル酸、ヒドロキシエチルセルロース、ヒドロキシプロピルセルロース、カルボキシメチルセルロース、アクリル酸ソーダ等。好ましくは、ヒドロキシプロピルセルロース。［油剤］ワセリンなどの石油由来の炭化水素からなる油剤、パラフィン、油脂。［粘土］化粧品用の粘土、陶芸用の粘土など。後述のようにゲル状のアセトンに混ぜて用いる場合は、例えば陶芸用の粉末状の粘土が取り扱いやすく、好ましい。
【００１０】
上記にさらに追加する含有物としては以下の物質が考えられる。水、グリセリン、トリエチルヘキサノイン。また、上記油剤の追加物質又は代替物質として、ホホバ種子油やオレンジ油などの天然由来の油剤が考えられる。さらに、上記溶剤の追加又は代替として、酢酸エチルなどの酢酸とアルコールのエステルが考えられる。
【００１１】
（実施例１）
アセトンにヒドロキシプロピルセルロース及びワセリンをそれぞれ少量加え、撹拌してゲル化させた。このようなゲル状のアセトンにさらに粉末状の陶芸用粘土を加えて混ぜ合わせ、ジェルネイル軟化材を完成させた。当該ジェルネイル軟化材をジェルネイル上に載せ、そのまま５〜１０分程度放置すると、ジェルネイルが軟化する。当該ジェルネイル軟化材をジェルネイル上に載せる前に、ジェルネイルの表面をやすり等でこすり、傷をつけておくと、ジェルネイルが軟化しやすくてよい。当該ジェルネイル軟化材により軟化したジェルネイルを、へら等でこそげ落とす。
【００１２】
（実施例２）
実施例１の材料のうち、ワセリンを加えずに実施例１と同様にジェルネイル軟化材を作製した。また、作製したジェルネイル軟化材を実施例１と同様の方法で使用した。
【００１３】
（実施例３）
実施例１の材料のうち、粘土を加えずに実施例１と同様にジェルネイル軟化材を作製した。また、作製したジェルネイル軟化材を実施例１と同様の方法で使用した。
【００１４】
（結果）
いずれの実施例も、ゲル化剤により有機溶剤がゲル化されているため、ジェルネイル軟化材をジェルネイル上に置かれた状態に保ちやすく、ジェルネイルを簡易な方法で除去できた。実施例２は、ジェルネイルを除去した後、実施例と比べて爪表面が白くなりやすかった。ワセリンが爪表面の状態を良好に保つと考えられる。実施例３は、ジェルネイル上にジェルネイル軟化材を載せた状態で、服等に軟化材が接触すると、その服等に軟化材が付着しやすかった。一方、実施例１では粘土を混ぜ合わせることにより、軟化材が付着しにくい状態になった。
(57)【要約】【課題】ごみ袋の散乱を防ぐために、週に何度も早朝から重いネットでこれを覆い、ごみ回収後に再び畳んで収納することは、各家庭の大きな負担となっている。また、多くのネットはごみの収集後にも、路上にだらしなく拡がり、また一部はガードレールや塀、電柱に乱雑にくくりつけられていることで、美観を損なっている。【解決手段】ごみ収集場所のごみ袋を覆うほどの大きさの方形のネットの一縁に沿って棒状のネットの巻き取り装置を取り付け、反対側の縁に沿って、分割式の棒状の重りを付けたごみ散乱防止のための巻取り式ごみネット。【選択図】図９
2014094819.tif 000002
【特許請求の範囲】
【請求項１】
ごみ収集場所のごみ袋を覆うほどの大きさの方形のネットの一縁に沿って棒状のネットの巻き取り装置を取り付け、反対側の縁に沿って、分割式の棒状の重りを付けたごみ散乱防止のための巻取り式ごみネット。
【発明の詳細な説明】
【技術分野】
【０００１】
本発明は、ごみ収集所においてごみ袋を覆うネットに関するものである。
【背景技術】
【０００２】
一般にごみ収集所においては、厚手で重量のあるネットでごみ袋を覆い散乱を防いでいる。
【先行技術文献】
【特許文献】
【０００３】
【特許文献１】特開２００４−５１３１２号公報（図５）
【発明の概要】
【発明が解決しようとする課題】
【０００４】
（イ）ごみ袋の散乱を防ぐために、週に何度も早朝から重いネットでこれを覆い、ごみ回収後に再び畳んで収納することは、各家庭の大きな負担となっている。
（ロ）また、多くのネットはごみの収集後にも、路上にだらしなく拡がり、また一部はガードレールや塀、電柱に乱雑にくくりつけられていることで、美観を損なっている。
（ハ）上記従来のネット収納器は、これまでの厚く重い袋状のネットを巻き上げて収納することから、装置が大型で、巻取りの労力もあり、さらに展張の手間は単純なネットと大差のないものである。
本発明は以上の問題点を解決するためになされたものである。
【課題を解決するための手段】
【０００５】
ごみ収集場所のごみ袋を覆うほどの大きさの方形のネットの一縁に沿って棒状のネットの巻き取り装置を取り付け、反対側の縁に沿って、分割式の棒状の重りを付けたごみ散乱防止のための巻取り式ごみネット。
【発明の効果】
【０００６】
本発明は手軽にごみネットの展張、収納が可能なことから、家庭の負担を著しく軽減する。また、いたるところに括り付け、ぶら下げられているネットによる景観の毀損を防止することができる。
【図面の簡単な説明】
【０００７】
【図１】本発明の使用時の斜視図
【図２】本発明のネットを巻取り装置内に収納した状態の斜視図
【図３】本発明のネットを巻取り装置外側に収納した状態の斜視図
【図４】本発明の裾棒兼おもりをネット内に収め、ネットを巻取り装置内に収納した状態の斜視図
【図５】本発明の展張時の正面図
【図６】本発明の展張時の側面図
【図７】本発明に背面ネットを取り付けた場合の展張時の側面図
【図８】本発明に背面ネットを取り付けた場合の使用時の側面図
【図９】本発明に背面ネットを取り付けた場合の使用時の斜視図
【発明を実施するための形態】
【０００８】
以下本発明の実施の形態を説明する。
（イ）ごみ収集場所のごみ袋を覆うほどの大きさの方形のネット（２）の一縁に沿って棒状のネット巻き取り装置（１）を取り付け、反対側の縁に沿って、分割式の裾棒兼おもり（３）を付ける。棒状の巻き取り装置（１）をガードレールや塀に沿って固定しておき、保管時は巻き取って収納し、使用時に展張してごみ袋を覆う。巻取り装置（１）の固定は、電柱や街路樹に沿って、地面に対し垂直に行い、使用時に水平とすることも可能である。
（ロ）巻取り装置（１）は、映写用スクリーンやロールスクリーンなどに用いる、賞状入れ程度の円筒を長くしたゼンマイ内蔵ものであれば、ガードレールや塀に嵩張らずに取り付けることができる。ただし、その場合、ネット（２）はスクリーンやカーテン程度の薄いものである必要がある。また、ゼンマイのネットを巻き取る力からして、その重さも同様の制約を受ける。
（ハ）さらに、このような巻取り装置は、下縁部に強度を持つ直線の棒がなければ、ネット（２）が巻取り部に不均等に引き込まれることで、巻取りが妨げられて適切に収納されないという問題がある。このため、従来の厚みと重量のあるごみネットの収納には適さない。また下縁部が硬直した棒状では、ネットは平板上に展張するだけで、ごみ袋を隙間なく覆うことができず、側面からの鳥獣の侵入を防ぐことはできない。
（ニ）本発明はネットの上縁を巻取り装置（１）を通じてガードレールなどに固定し、下縁部全長にわたっておもりを具備することで、風や鳥獣によってネットが剥離される恐れはない。これにより、ネットそのものは厚さや重さを備える必要がなくなり、網戸や漁網並みの薄さと適度な強度を有することで足り、厚みや重さの問題が解決した。
（ホ）使用に当たっては、接続されて１本になった下縁部の裾棒兼おもり（３）を引いてネットを展張し、次いで裾棒兼おもり（３）の接続を解除してごみ袋を覆い隙間を防ぐ。使用後は、裾棒兼おもり（３）を接続したうえで、ネットが巻取り機のゼンマイによって均一に巻き取られるよう必要に応じて手を添える。裾棒兼おもり（３）を分割式としたことで、ごみ袋を覆って隙間をなくすこと、巻取り時の不均一をなくすという問題を解決した。ゼンマイはモーターに置き換えることも可能である。
（へ）設置環境により、野獣の出没する場所ではネット（２）を丈夫なものに代え、凍結の恐れがある場合には、巻取り装置（１）の外側にネットを巻き取ることで対応する。
（ト）なお、塀ではなく、ガードレールや電柱など背面が解放の場合は、ネット（２）に重ねて背面ネット（４）を巻取り装置（１）に取り付けることで、背面からの鳥獣の侵入を防ぐ。
本発明は以上のような構造である。
【符号の説明】
【０００９】
１巻取り装置、２ネット、３裾棒兼おもり、４背面ネット
【図１】
2014094819.tif 000003
【図２】
2014094819.tif 000004
【図３】
2014094819.tif 000005
【図４】
2014094819.tif 000006
【図５】
2014094819.tif 000007
【図６】
2014094819.tif 000008
【図７】
2014094819.tif 000009
【図８】
2014094819.tif 000010
【図９】
2014094819.tif 000011
(57)【要約】【課題】串物食品の食べにくさや、手指が汚れたりするのを防ぐ為に串物食品の指当てを提供する。【解決手段】食品用の清潔な中厚、中強程度の紙を用い、掌の半分程度の長方形の縦方向の中央に、上から切れ込みを入れる事を特徴とする串物食品の指当て。【選択図】図１
2014094257.tif 000002
【特許請求の範囲】
【請求項１】
食品用の清潔な中厚中強程度の紙を用い、掌の半分程度の長方形の紙本体（４）の縦方向中央部の上部に切れ込みを入れ、その延長線上を内側に折り曲げ串を中に入れ、上部の切れ込みによって左右に別れた二片を外側へ折り使用することを特徴とする串物食品の指当て。
【発明の詳細な説明】
【技術分野】
【０００１】本発明は串刺しになっている食べ物全般について、食べ易くし、手指を汚してしまうのを防ぐ為になされた串物食品の指当てに関するものである。
【背景技術】
【０００２】近年焼き鳥の串に当たりを着けて一口づつ食べ進む度に串先を折っていくものやプラスティックやシリコンの串用押し具がある。
【先行技術文献】
【０００３】
【特許文献１】  登録実用新案第３００３８６７号
【特許文献２】  登録実用新案第３１７１９１５号
【発明の概要】
【発明が解決しようとする課題】
【０００４】食の世界は各の料理法により出されたままをそのまま受け止めているものだが、串物食品についてもその大小、種類を問わず、手元の方へ食べ進むにしたがって食べにくくなったり、手指が汚れたりする。子供、年配者、女性には危険である場合さえある。本発明は、これらを解決しようとするものである。
【課題を解決するための手段】
【０００５】食品用の清潔な中厚、中強程度の紙を用い、掌の半分程度の長方形の、縦方向中央部に、上から切れ込みを入れる事を特徴とする串物食品の指当て。
【発明の効果】
【０００６】これを使用すれば串刺しになっている食品全般について、その大小を問わず手元の方へ食べ進むにしたがって食べにくくなったり手指を汚したりせず、子供年配者女性等にも安心して串物食品を楽しむことが出来る。又材質をプラスティックでなく紙にしたことで環境的にも石油の無駄使いにならなくて済む。
【図面の簡単な説明】
【０００７】
【図１】  本発明の指当ての紙の平面図
【図２】  本発明の指当ての紙を折った斜視図
【図３】  串を指当て紙でつかんだ斜視使用状態図
【図４】  指当て紙を上に上げた使用状態図
【発明を実施するための形態】
【０００８】以下本発明の実施の形態を説明する
食品用の清潔な中厚、中強程度の紙を用い、掌の半分程度の紙本体（４）の縦方向の中央の上部に切り込み（１）を入れる。
本発明は、以上の構成よりなっている。
これを使用する時は図３のように、長方形の紙本体（４）を切れ込み（１）に沿って、紙本体（４）を半分に内側へ折れる線（３）で折り、串（５）の持ち手を切れ込み（１）を上にして本体（４）と指（６）で挟み、串（５）を中心に二枚合わせになったところで切れ込み（１）から上を外側へ折れる線（２）で左右に開く。図４のように串（５）の最後部に当てることで手は汚れず串物食品を食べ進めるごとに他方の手（８）を添え両手で串物食品を上部へずらす、こうする事で、手を汚さず食べ易くなる。
【符号の説明】
【０００９】（１）切り込み
（２）外側へ折る折れ線
（３）内側へ折る折れ線
（４）本体
（５）串
（６）指又は手
（７）食品
（８）他方の手
【図１】
2014094257.tif 000003
【図２】
2014094257.tif 000004
【図３】
2014094257.tif 000005
【図４】
2014094257.tif 000006
(57)【要約】【課題】  茎が細いため剣山に挿せない、茎の細い花を生ける花挿しを提供する。【解決手段】  水平な底面を持つガラス、陶磁器、あるいは合成樹脂の、小さい塊の上面の中心から、垂直に底面に穴を貫通させ、その底には中心から数本の水平な溝を放射状に設けた花挿しを作り、花挿しの穴に花を挿す。【選択図】図１
2014094258.tif 000002
【特許請求の範囲】
【請求項１】
水平な底面を持つガラス、陶磁器、合成樹脂の塊に、縦に貫通する穴を設け、底面に水平な溝を設けた花挿し
【発明の詳細な説明】
【技術分野】
【０００１】  本案は水盤に花を挿す道具に関する。
【背景技術】
【０００２】  従来、水盤に花を挿す場合、剣山を使っていた。。
【先行技術文献】
【発明の概要】
【発明が解決しようとする課題】
【０００３】  しかし、剣山に花を挿す挿す為には、適当な茎の太さが必要であり、茎の細い花は挿せなかった。
【課題を解決するための手段】
【０００４】  本発明は、ガラスや陶磁器などで、水平な底面を持つ小さい塊を作り、それに垂直または斜めの穴を貫通させた物を作り、その穴に花を挿す事で、上記の課題を解決する。
【発明の効果】
【０００５】  本発明は、花を穴の中に挿すので、茎を傷めず、茎の細い花を生ける事が出来る。
【図面の簡単な説明】
【０００６】
【図１】本件発明の断面図
【符号の説明】
【０００７】  １  穴、及び、溝
【発明を実施するための形態】
【０００８】  本発明の煙突型花挿しは、水平な底面を持つガラスや陶磁器あるいは合成樹脂などの小さな塊に、図１のように上面中心から垂直に底面に、穴を貫通させる。その底には中心から数本の水平な溝を放射状に設ける。穴にはこの溝から水が通る。花を１本だけ挿す小さな花挿しであるが、花挿しを複数使う事で、広がりのある生け花も出来る。そして、花挿し同士の間隔も、方向も、自由にとれるから花挿しを色々な形に置く事が出来る。
【図１】
2014094258.tif 000003
(57)【要約】      （修正有）【課題】トイレットペーパーを交換する場合に、片手で出来るロールペーパーホルダー器具を提供する。【解決手段】既存のトイレットペーパーホルダーの枠を利用し、枠に取り付けることでロールペーパーを片手で着脱できるように考えた器具で、枠に挟む部分とトイレットペーパー着脱時、上に跳ね上げて使用する芯棒となる部分と、その部分を安定させ支える箇所を枠にセットする。【選択図】図１
2014094254.tif 000002
【特許請求の範囲】
【請求項１】
既存のトイレットペーパーホルダーの枠に取付セットして使用する。ロールペーパーを支える芯棒、ホルダー部分（Ａ）を上に跳ね上げるだけでペーパーの交換ができるように工夫したペーパーホルダーの補助器具
【発明の詳細な説明】
【技術分野】
【０００１】トイレットペーパーの交換時、ペーパーを持ち上げるだけでロールペーパーの交換可能な従来のペーパーホルダー枠に取り付けるロールペーパーホルダー器具の提供
【発明の概要】
【発明が解決しようとする課題】
【０００２】トイレットペーパーを交換するとき、大概の既存のペーパーホルダーは芯棒をずらして取外し、新しいペーパーを嵌めてセットし、また同様にしてホルダーに取り付けるが、この作業は片手では難しい
【課題を解決するための手段】
【０００３】ペーパーホルダーは殆どが最初からしっかりと取り付けられている。このホルダー枠を利用し、その枠にしっかりと挟み込んで使用する器具で、ペーパーを支える芯棒代わりとなる部分（Ａ）はペーパー交換時には跳ね上げて交換する。（Ｂ）はペーパーをセットした時に芯棒が下向きにならないように支える役目をする部分である。
【発明の効果】
【０００４】既存のトイレットペーパーホルダーの枠をそのまま使用して、片手でロ−ルペーパーの着脱を簡単に交換できるようになる。
【発明を実施するための手段】
【０００５】素材としてはしっかりとした器具を望めば金属製でもよいが、ロールペーパーは軽いので、プラスチック製でも十分支えられるし、美しい器具が作れる。本図面は挟む部分をつけているが、粘着剤で張り付けるような仕様にしてもよい。ずれない様に考慮したい場合は既存の芯受け用に凹みに合うように出っ張りを挟む内側に設ければ支える強度が増す。
又、両側から支えたい場合には、補助器具ペーパー受け芯棒を短くして両側から支えるのも可能である。
【図面の簡単な説明】
【０００６】
【図１】本器具斜視図
【図１】
2014094254.tif 000003
(57)【要約】【課題】  本発明は、スマートフォンやタブレット端末機を持ち運んだり、保護するためのモバイルケースを提供する。【解決手段】  ケース本体は、表布地、内部クッション材、マイクロファイバー生地の裏布地の三層構造とする。高周波ウェルダー機で三層構造のケース本体を溶着し裁断する。ケース本体を２枚用意し、外周を縫製処理する。予めストラップを取り付けられるように型を作っておき、裁断後ストラップ取り付け処理を行う。【選択図】図１
2014094252.tif 000002
【特許請求の範囲】
【請求項１】
ケース本体は、表布地、内部クッション材、マイクロファイバー生地の裏布地の三層構造とし、高周波ウェルダー機で三層構造のケース本体を溶着型裁断したあと、ケース本体を２枚用意し、外周を縫製処理したことを特徴とするモバイルケース。
【請求項２】
ケース本体内側の布地にはマイクロファイバー生地を使用し、機器の汚れをふき取る機能を持つ請求項１のモバイルケース。
【請求項３】
ケース上部にストラップを付けることにより持ち運ぶ際の落下事故の軽減を図ることを目的とした機能を持つ請求項１、または請求項２のモバイルケース。
【発明の詳細な説明】
【技術分野】
【０００１】  本発明は、スマートフォンやタブレット端末機を持ち運んだり、保護するためのモバイルケースに関するものである。
【背景技術】
【０００２】  スマートフォンやタブレット端末機は、便利で小型で持ち運びがしやすいため普及が目覚ましいが、機器本体にはハンドルやストラップなどの機能がなく、持ち運びの際の安全性に欠ける。
そのため、各種ケースが販売されているが、それらは各機種専用の接触による傷付き防止機能が付いたものばかりであり、機器全体を保護するものではない。
そして、機種変更をすると使えなくなることが多い。
また、吊り下げ機能を持っているものも少ない。
そして、タッチ画面が汚れやすいこともスマートフォンやタブレット端末機を使用していると気になる点である。
【発明の概要】
【発明が解決しようとする課題】
【０００３】  スマートフォンや、タブレット端末機は、便利で小型で持ち運びがしやすいため普及が目覚ましいが、機器本体にはハンドルやストラップなどの機能がなく、持ち運びの際の安全性に欠ける。
そのため各種ケースが販売されているが、それらは各機種専用の接触による傷付き防止機能が付いたものばかりであり、機器全体を保護するものではない。
そして、機種変更をすると使えなくなることが多い。
また、吊り下げ機能を持っているものも少ない。
さらに、タッチ画面が汚れやすいこともスマートフォンやタブレット端末機を使用していると気になる点である。
本発明は以上の問題点を解決するものである。
【課題を解決するための手段】
【０００４】  ケース本体は、スマートフォンやタブレット端末機の大きさに合わせてサイズを決める。
本体構造は、表布地、内部クッション材、裏布地の三層構造とする。
裏布地はマイクロファイバー生地を使用する。
高周波ウェルダー溶着で三層を溶着させるため、三層の間に必要に応じてビニールシートを追加し溶着しやすくする。
高周波ウェルダー機で三層構造のケース本体を溶着し、同時に裁断する。
溶着したケース本体を２枚用意し、外周を縫製処理する。
予めストラップを取り付けられるような構造に型を作っておき、裁断後ストラップ取り付け処理を行う。
ストラップの付け方、長さは、持ち運ぶスマートフォン、タブレット端末機のサイズに  より調整する。
また、別途、接続可能なストラップを作っておき、同時に使うことにより、肩掛けケースとして使用することもできる。
【発明の効果】
【０００５】  本発明を使えば、スマートフォンやタブレット端末機を持ち運ぶときに機器全体をクッション材でくるみ、すっきりとシンプルな形状でありながらもしっかりと本体を保護することができる。
また、機種を変更しても似たサイズならば使える汎用性もある。
中の布地にはマイクロファイバー生地を使用し、それらの機器の汚れをふき取る機能を持つ。
そして、ストラップを付けることにより持ち運ぶ際の落下事故の軽減を図ることができ、また、別途、接続可能なストラップを作っておき、同時に使うことにより、肩掛けケースとして使用することもできる。
【図面の簡単な説明】
【０００６】
【図１】  本発明の正面図。
【図２】  本発明のケース本体片面の断面図。
【図３】  本発明のケース本体の縫製後の断面図。
【発明を実施するための形態】
【０００７】  以下本発明の実施の形態を説明する。
（イ）ケース本体（１）は、表布地（５）、内部クッション材（６）、裏布地（７）の三    層構造とし高周波ウェルダー溶着で三層を溶着させるため、同じ大きさに裁断し、三    層の間に必要に応じてビニールシートを追加し溶着しやすくさせる。
（ロ）高周波ウェルダー機で三層構造のケース本体（１）を溶着し、裁断する。
（ハ）ケース本体（１）を２枚用意し、外周を縫製（２）する。
（ニ）予めストラップ取り付け部（３）などを本体（１）に作っておき、裁断後ストラッ    プ取り付け処理を行う。
【０００８】  ストラップ（４）の付け方、長さは、持ち運ぶスマートフォン、タブレット端末機のサイズにより調整する。
また、別途、接続可能なストラップを作っておき、同時に使うことにより、肩掛けケースとして使用することもできる。
【符号の説明】
【０００９】１  本体
２  外周縫製箇所
３  ストラップ取り付け部
４  ストラップ
５  表布地
６  内部クッション材
７  裏布地
【図１】
2014094252.tif 000003
【図２】
2014094252.tif 000004
【図３】
2014094252.tif 000005
(57)【要約】【課題】  本発明は容器の内側に設けられた縦溝と横溝にゴルフボールなどの球体を置いて、足裏で球体を転がすことにより足裏のツボを指圧あるいはマッサージする球体式足裏指圧具を提供する。【解決手段】  方形状の容器部の上面に容器部と同形状の蓋部を設け、蓋部は蝶番を介して容器部に開閉自在とし、容器部の内側に、縦長状の縦溝を設け、縦溝の中央を交差するように横長状の横溝を設け、蓋部の内側に縦長状の縦溝を設け、縦溝の中央を交差するように横長状の横溝を設け、縦溝および横溝の溝の中に球体を遊動自在に置いて足裏で転がすことを特徴とする球体式足裏指圧具。【選択図】図１
2014094251.tif 000002
【特許請求の範囲】
【請求項１】
方形状の容器部（１）の上面に容器部（１）と同形状の蓋部（２）を設け、蓋部（２）は蝶番（６）を介して容器部（１）に開閉自在とし、容器部（１）の内側に、縦長状の縦溝（３）を設け、縦溝（３）の中央を交差するように横長状の横溝（４）を設け、容器部（１）に設けた縦溝（３）および横溝（４）に対応するように、蓋部（２）の内側に縦長状の縦溝（３）を設け、縦溝（３）の中央を交差するように横長状の横溝（４）を設け、縦溝（３）および横溝（４）の溝の中に球体（５）を遊動自在に置いて足裏で転がすことを特徴とする球体式足裏指圧具。
【発明の詳細な説明】
【技術分野】
【０００１】  本発明は血流の滞りがちな足裏の血行を促し、第二の心臓といわれる足裏のツボを指圧することで、内臓および全身を健康にするために工夫した球体式足裏指圧具に関するものである。
【背景技術】
【０００２】  従来の足裏指圧具は主なものは、
（イ）木製の棒状で、先端がまるみを帯びた、いわゆる指圧棒がある。
（ロ）大小さまざまの凹凸のある板状の足踏板がある。
（ハ）突起に被われた円筒形の電動ローラーなどがある。
【発明の概要】
【発明が解決しようとする課題】
【０００３】（イ）指圧棒による指圧は腕と手首を使い、強い力で左右の足裏を刺激する。
右手で左足、左手で右足と交互に行う。
利き腕の場合はよいが、不慣れな手では思うように力がはいらない。
したがって、効果もない。
その上膝を曲げ、足裏を自分の顔にむけねばならず、この姿勢が思いの他、窮屈な    のだ。
体の不自由な人、お年寄り、太った人には不向きである。
人に頼れば、気兼ねとお金がかかる。
（ロ）足踏板は立った状態で足裏を指圧刺激することを主眼する。
したがって、場所が限定される。
（ハ）突起のついた回転ローラーに足裏を宛がう。
強い指圧、刺激ではなく気持ちのいい感覚は残る。
したがって、指圧の範疇にははいらない。
電源も必要で電気代もかかる。
本発明は以上の問題点を解決するためになされたものである。
【課題を解決するための手段】
【０００４】  方形状の容器部（１）の上面に容器部（１）と同形状の蓋部（２）を設け、蓋部（２）は蝶番（６）を介して容器部（１）に開閉自在とし、容器部（１）の内側に、縦長状の縦溝（３）を設け、縦溝（３）の中央を交差するように横長状の横溝（４）を設け、容器部（１）に設けた縦溝（３）および横溝（４）に対応するように、蓋部（２）の内側に縦長状の縦溝（３）を設け、縦溝（３）の中央を交差するように横長状の横溝（４）を設け、縦溝（３）および横溝（４）の溝の中に球体（５）を遊動自在に置いて足裏で転がすことを特徴とする球体式足裏指圧具。
【発明の効果】
【０００５】  まず、第一は椅子腰かけての指圧は球体を溝の上に置く。
これに足裏を乗せる。
この状態で足に力を加えることで足裏に圧がかかる。
この状態で前後左右に足裏を移動させる。
この時圧が滞った血流を円滑にし、強力に足の各所のツボも刺激を受ける。
一連の動作は腰かけてできたので誰でも気軽にできる。
本発明の球体式足裏指圧具は、容器部、蓋部を蝶番で一体化させた。
小型でも把手もついてどこにでも持ち運び出来る。
球体は容器部の球体収納部に収める。
電源は必要なし、台所でも居間でテレビを観ながらオフィスのデスクの下、飛行機の座席でも大丈夫、エコノミー症候群の予防にもなる。
【図面の簡単な説明】
【０００６】
【図１】  本発明の斜視図
【図２】  本発明の側面断面図
【図３】  本発明の要部の断面図
【図４】  本発明の側面断面図
【発明を実施するための形態】
【０００７】  以下、本発明の実施の形態を説明する。
（イ）方形状の容器部（１）の上面に容器部（１）と同形状の蓋部（２）を設け、蓋部（    ２）は蝶番（６）を介して容器部（１）に開閉自在とする。
（ロ）容器部（１）の内側に、縦長状の縦溝（３）を設け、縦溝（３）の中央を交差する    ように横長状の横溝（４）を設ける。
縦溝（３）および横溝（４）は、断面が半円の樋状に形成されている。
（ホ）容器部（１）に設けた縦溝（３）および横溝（４）に対応するように、蓋部（２）    の内側に縦長状の縦溝（３）を設け、縦溝（３）の中央を交差するように横長状の横    溝（４）を設ける。
（ニ）容器部（１）の角隅部に半球体状の凹部を設け、蓋部（２）の角隅部に半球体状の    凹部を設け、各半球体状の凹部は蓋部（２）を容器（１）の上面に閉じたとき、球体    状の球体収納部（７）を形成する。
（ホ）容器部（１）と蓋部（２）の一側面に把手（８）を設ける。
本発明は以上の構成よりなる。
本発明を使用するときは、容器部（１）より蓋部（２）を開放し、縦溝（３）または横溝（４）にゴルフボールなどの球体（５）を遊動自在に置き、その球体（５）を足裏で押さえつけるようにしながら縦溝（３）または横溝（４）の溝の中を転がす。
縦溝（３）と横溝（４）は中央で交差しているために、球体（５）は縦溝（３）および横溝（４）の中を自由に転がすことができる。
球体（５）を転がすことにより足裏の指圧ができる。
本発明を使用しないときは、容器（１）の蓋部（２）を閉じることによりカバンの形態となり、どこへも持ち運びが自由となる。
【符号の説明】
【０００８】    １  容器部
２  蓋部
３  縦溝
４  横溝
５  球体
６  蝶番
７  球体収納
８  把手
【図１】
2014094251.tif 000003
【図２】
2014094251.tif 000004
【図３】
2014094251.tif 000005
【図４】
2014094251.tif 000006